(57)【要約】  【課題】天板付き家具の天板上空間を区画し、取り付け位置が変更可能なスクリーンにおいて、このようなスクリーンの取付を容易に行うことができるようにするとともに、天板下方にスクリーンを支持する手段を設けることにより発生する天板下空間が塞がれる不具合の発生を抑える。  【解決手段】天板付き家具の天板Ｔ上方の空間を区画するスクリーンパネル１と、前記スクリーンパネル１を支持するスクリーン台２と、天板付き家具の天板の下面に添接する添接部材４と、前記添接部材４と連動する取付補助部材５と、前記スクリーン台２の上方から前記取付補助部材５を介して前記添接部材４に緊締力を加え該添接部材４を上方に付勢するとともに前記スクリーン台２を下方に付勢する緊締手段７とを具備するスクリーンを用意する。  【選択図】図３
2005143690.tif 000002
【特許請求の範囲】
【請求項１】
天板付き家具の天板上方の空間を区画するスクリーンパネルと、前記スクリーンパネルを支持するスクリーン台と、天板付き家具の天板の下面に添接する添接部材と、前記添接部材と連動する取付補助部材と、前記スクリーンパネルの外面より外側の位置において前記スクリーン台の上方から前記取付補助部材を介して前記添接部材に緊締力を加え該添接部材を上方に付勢するとともに前記スクリーン台を下方に付勢する緊締手段とを具備することを特徴とするスクリーン。
【請求項２】
前記取付補助部材が、天板の上面に沿う板状をなす上面部と前記上面部の一端縁から垂下する垂下部とを有するとともに、前記垂下部の下端と前記添接部材とを接続し、前記取付補助部材と前記添接部材とにより側面視天板の端縁部に向けて開口するコの字型をなすスクリーン取付部材を一体に形成していることを特徴とする請求項１記載のスクリーン。
【請求項３】
前記緊締手段が、少なくとも前記スクリーン台に設けたネジ挿通孔と、前記取付補助部材の上面部に前記ネジ挿通孔と重合させて設けた雌ネジ孔と、前記ネジ挿通孔に挿通し前記雌ネジ孔に螺着される雄ネジ部材とからなることを特徴とする請求項２記載のスクリーン。
【請求項４】
前記スクリーン取付部材を、天板の一端縁のみに取り付けるようにしていることを特徴とする請求項２又は３記載のスクリーン。
【請求項５】
前記スクリーン台が、前記取付補助部材を収納する切り欠きを具備することを特徴とする請求項１、２、３又は４記載のスクリーン。
【請求項６】
前記添接部材の上面に、弾性を有する部材により構成されるグリップ部を形成していることを特徴とする請求項１、２、３、４又は５記載のスクリーン。
【請求項７】
前記スクリーンパネルの下縁部と前記スクリーン台との間にビードを介在させ、前記スクリーン台に前記ビードを下縁部に取り付けたスクリーンパネルを圧入するようにしているとともに、前記スクリーン台と前記ビードとの間に、係合突条と係合溝とを凹凸係合させてなる凹凸係合部を形成していることを特徴とする請求項１、２、３、４、５又は６記載のスクリーン。
【発明の詳細な説明】
【技術分野】
【０００１】
本発明は、天板付き家具に取り付けられるものであって、天板上空間を区画するスクリーンパネルを有するスクリーンに関する。
【背景技術】
【０００２】
従来、天板付き家具の天板の外周側にパネル支持装置を介してパネルを支持させ、天板上方の空間とその外方の空間とを区画する態様が広く用いられている。（例えば、特許文献１を参照。）しかして、このように支持されるパネルを天板上方の空間を複数の空間に区画するスクリーンとして利用することもまた考えられている。
【０００３】
また、天板上方の空間を複数に区画するスクリーンとしては、天板付き家具の天板を挿入可能な凹部を設けているとともに、スクリーン本体と、このスクリーン本体を自立可能に支持するベース部とからなり、ベース部にスクリーンを移動可能にする移動手段を設け、前記スクリーン取付具の取付箇所を変更可能に構成することで天板上方の空間を好みの態様で区画可能にするものも考えられている。（例えば、特許文献２を参照。）
【特許文献１】特開２００２−１５３３３３号公報
【特許文献２】特開２００３−２２７１９７号公報
【発明の開示】
【発明が解決しようとする課題】
【０００４】
ところが、特許文献１記載の構成のようにパネル支持装置を介してパネルを支持させ、天板上方の空間を複数の空間に区画するスクリーンとして利用するには、パネル支持装置の下方から調整ネジを取り付けてパネル支持装置に緊締力を加える必要がある。天板下方においてこのような調整ネジの取り付け作業を行うことは、人によってはしゃがみこむ必要がある等の理由で面倒に感じられる場合がある。また、天板下方に調整ネジが露出するので、見栄えがよくないと同時に、場合によっては天板下方の着座者の下肢を収納する際に妨げとなることもある。
【０００５】
また、特許文献２記載の構成のスクリーンにおいては、ベース部を床面から起立させることでスクリーン本体を自立可能に支持するようにしているので、このようなスクリーンにより天板上空間を区画する際には、ベース部が天板下方の空間に位置することになる。しかして、天板付き家具を利用すべく該天板付き家具に向かい着座する着座者の下肢は、このような構成では、前記ベース部に触れてしまうことがあり得る。すなわち、前記ベース部が天板付き家具に着座する着座者の下肢を天板下方の空間に収納する際の妨げとなる不具合が発生し得る。
【０００６】
本発明は、以上に述べた課題を解決すべく構成するものである。
【課題を解決するための手段】
【０００７】
すなわち本発明に係るスクリーンは、天板付き家具の天板上方の空間を区画するスクリーンパネルと、前記スクリーンパネルを支持するスクリーン台と、天板付き家具の天板の下面に添接する添接部材と、前記添接部材と連動する取付補助部材と、前記スクリーンパネルの外面より外側の位置において前記スクリーン台の上方から前記取付補助部材を介して前記添接部材に緊締力を加え該添接部材を上方に付勢するとともに前記スクリーン台を下方に付勢する緊締手段とを具備することを特徴とする。
【０００８】
このように構成すれば、前記スクリーンパネルの外面より外側の位置において前記スクリーン台の上方から前記緊締手段により前記添接部材を上方に、前記スクリーン台を下方にそれぞれ付勢して固定するだけでスクリーンを天板付き家具に固定できるので、特許文献１記載の構成のように天板下方において緊締力を加える作業を行う態様と比較して、スクリーンの取付を容易に行うことができる。しかも、特許文献２記載の構成のように天板下方にスクリーンを支持する部材を配置する必要がないので天板下空間が塞がれる不具合の発生を抑えることができる。さらに、前記スクリーンパネルを前記スクリーン台に支持させたまま緊締手段に対する操作を行うこともできるので、前記スクリーンパネルを支持させたスクリーン台を天板上に仮載置し、天板上の空間の状況を確認し取り付け位置を決定してから緊締手段に対する操作を行いスクリーンを設置するようにもできる。加えて、前記スクリーンパネルを前記スクリーン台に支持させたまま緊締手段に対する操作を行うこともできることから、緊締手段に対して前記添接部材を上方に付勢した状態を解除するための操作を前記スクリーンパネルを前記スクリーン台に支持させたまま行った後、このようなスクリーンをそのまま天板の端縁に沿って移動させることにより、このようなスクリーンの設置位置の変更を行うこともできる。なお、本発明において、「天板上方の空間」とは、天板の板面上における作業スペースを含む概念である。
【０００９】
特に、前記取付補助部材が、天板の上面に沿う板状をなす上面部と前記上面部の一端縁から垂下する垂下部とを有するとともに、前記垂下部の下端と前記添接部材とを接続し、前記取付補助部材と前記添接部材とにより側面視天板の端縁部に向けて開口するコの字型をなすスクリーン取付部材を一体に形成しているものであれば、金属板を板金加工等によりコの字型に成形する等して簡単に添接部材及び取付補助部材を形成できるとともに、厚さの異なる天板にも前記添接部材と取付補助部材の上面部との間の離間距離が異なる複数の前記スクリーン取付部材を用意することにより容易に対応できる。
【００１０】
さらに、前記緊締手段が、少なくとも前記スクリーン台に設けたネジ挿通孔と、前記取付補助部材の上面部に前記ネジ挿通孔と重合させて設けた雌ネジ孔と、前記ネジ挿通孔に挿通し前記雌ネジ孔に螺着される雄ネジ部材とからなるものであれば、前記雄ネジ部材を上方から前記ネジ挿通孔に挿通し前記雌ネジ孔に螺着する非常に簡単な操作により前記添接部材に緊締力を加えることができる。
【００１１】
また、前記スクリーン取付部材を、天板の一端縁のみに取り付けるようにしているものであれば、例えば接客用のカウンターを区画する場合に接客を行う者側の端縁に前記スクリーン取付部材を配置し、客の側からこのようなスクリーン取付部材の存在を目立たないようにすることができる。
【００１２】
このようなスクリーンの外観を整えるようにするための態様として、前記スクリーン台が、前記取付補助部材を収納する切り欠きを具備するものが挙げられる。このようなものであれば、前記取付補助部材を前記切り欠きに収納することにより天板上方の空間から前記取付補助部材を隠蔽することができるからである。
【００１３】
天板付き家具にスクリーンをより安定して取り付けるための態様として、前記添接部材の上面に、弾性を有する部材により構成されるグリップ部を形成しているものが挙げられる。このようなものであれば、前記緊締手段により緊締力を加えられ、該添接部材が天板の下面に当接すると、前記グリップ部が天板の下面に当接することにより天板と前記添接部材との間のすべり摩擦力を増すことができるからである。
【００１４】
安定して前記スクリーンパネルを前記スクリーン台に支持させるための態様として、前記スクリーンパネルの下縁部と前記スクリーン台との間にビードを介在させているとともに、前記スクリーン台に前記ビードを下縁部に取り付けたスクリーンパネルを圧入するようにしているとともに、前記スクリーン台と前記ビードとの間に、係合突条と係合溝とを凹凸係合させてなる凹凸係合部を形成しているものが挙げられる。このようなものであれば、前記凹凸係合部において前記スクリーン台と前記ビードが互いに上下に移動することを防止できるからである。
【発明の効果】
【００１５】
本発明に係るスクリーンは、前記スクリーン台の上方から前記緊締手段により前記添接部材を上方に、前記スクリーン台を下方にそれぞれ付勢して固定するだけでスクリーンを天板付き家具に固定できるので、天板下方において緊締力を加える作業を行いスクリーンを固定する態様と比較してスクリーンの取付を容易に行うことができるとともに、天板下方にはスクリーンを支持する手段を設ける必要がなくなるので天板下方の空間が塞がれる不具合の発生を抑えることができる。
【発明を実施するための最良の形態】
【００１６】
以下、本発明の一実施形態を、図面を参照して説明する。
【００１７】
本実施形態に係るスクリーンＳは、斜視図を図１、正面図を図２、側面図を図３、図３の要部を拡大して示した図を図４、分解斜視図を図５にそれぞれ示すように、天板付き家具に設けられ、天板付き家具の天板Ｔの上方の空間を区画するスクリーンパネル１と、前記スクリーンパネル１を下方から支持するスクリーン台２と、側面視天板Ｔの端縁部に向けて開口するコの字型をなし、前記スクリーンパネル１及びスクリーン台２を天板付き家具に固定するスクリーン取付部材３とを具備する。なお、前記図１〜図４において天板Ｔ及び天板付き家具は想像線により示している。
【００１８】
前記スクリーンパネル１は、図６の（ａ）に正面図、同図の（ｂ）に側面図、同図の（ｃ）に平面図をそれぞれ示すように、略矩形をなす板状の部材であり、本実施形態ではアクリル樹脂により形成している。また、本実施形態では、上縁を上方に膨出させているとともに、下縁の幅方向中央部には切り欠き１ｘを設けている。
【００１９】
前記スクリーン台２は、本実施形態ではアルミ押し出し成形により形成されているものであり、図７の（ａ）に正面図、同図の（ｂ）に側面図、同図の（ｃ）に平面図をそれぞれ示すように、天板Ｔに載置されるベース２２と、このベース２２の奥行き方向中央部に１対起立して形成している起立壁２１とを具備するとともに、この起立壁２１間に前記スクリーンパネル１の下端部を挿入するパネル挿入溝２ｍを形成し、このパネル挿入溝２ｍに挿入された前記スクリーンパネル１を下方から支持する。前記ベース２２の底面にはゴム等の弾性部材により形成されるグリップ部２２１を形成していて、このグリップ部が天板Ｔに当接するようにしている。なお、このスクリーン台２は、前記パネル挿入溝２ｍに前記スクリーンパネル１の下端部を挿入した状態で自立可能である。
【００２０】
また、本実施形態では、前記スクリーンパネル１とこのスクリーン台２との間には図８の（ａ）に正面図、同図の（ｂ）に側面図をそれぞれ示すようなビード８を介在させている。このビード８は、例えばポリプロピレン樹脂を押し出し成形して形成しているものであり、上方に開口する開口部８ｋを有するコの字形をなしている。また、前記開口部８ａにスクリーンパネル１の下縁の切り欠き１ｘを挿入するようにしてこのビード８をスクリーンパネル１に装着するようにしている。そして、このスクリーン台２へのスクリーンパネル１の取り付けは、スクリーンパネル１の前記切り欠き１ｘにビード８を装着した状態で上方から前記スクリーン台２のパネル挿入溝２ｍに圧入することにより行うようにしている。そして、このビード８の上縁部には係止部８１を形成していて、この係止部８１が前記スクリーン台２の上縁２ｔと係合するようにしている。なお、前記パネル挿入溝２ｍの溝幅は、本実施形態ではビード８の底部の奥行き寸法に略一致させている。加えて、本実施形態ではビード８を装着したスクリーンパネル１のスクリーン台２からの抜け止めを図るべく、前記図４に示すように、前記ビード８に設けられた幅方向に延伸する突条８ａと、スクリーン台２のパネル挿入溝２ｍに設けられた前記突条８ａに係合可能な係合溝２ｍ２とにより凹凸係合部を形成している。
【００２１】
しかして本実施形態では、スクリーン取付部材３は、前記図１〜図４及び図９に示すように、天板付き家具の天板Ｔの下面に添接する添接部材４と、天板Ｔの上面に沿う板状をなす上面部５１と前記上面部５１の一端縁から垂下する垂下部５２とを有し前記添接部材４と連動する取付補助部材５とを備えているとともに、前記垂下部５２の下端と前記添接部材４とを接続してこれらを一体に形成し、側面視天板Ｔの端縁部に向けて開口するコの字型をなす。なお、前記図９の（ａ）はこのスクリーン取付部材３の平面図、同図の（ｂ）は同正面図、同図の（ｃ）は同側面図、同図の（ｄ）は同底面図である。そして、前記スクリーン台２の上方から前記取付補助部材５を介して前記添接部材４に緊締力を加え該添接部材４を上方に付勢するとともに前記スクリーン台２を下方に付勢する緊締手段７をさらに具備する。前記添接部材４と前記取付補助部材５との間は、天板Ｔの厚さに略等しい距離だけ離間させている。
【００２２】
前記添接部材４は、本実施形態ではその上面に弾性を有する部材により構成されるグリップ部４１を形成している。
【００２３】
前記取付補助部材５は、天板Ｔの板面に対向して設けられ、上面部５１が前記スクリーン台２に形成した切り欠き２ｘに収納されるようにしている。
【００２４】
緊締手段７は、具体的には、前記スクリーン台２の長手方向一端部の前記パネル挿入溝２ｍの外側に形成したネジ挿通孔２ｈと、前記取付補助部材５の前記ネジ挿通孔２ｈと重合する部位に形成した雌ネジ孔５ｈと、前記ネジ挿通孔２ｈに挿通され前記雌ネジ孔５ｈに螺着される雄ネジ部材７１とからなる。
【００２５】
この緊締手段７は、前記雄ネジ部材７１を前記雌ネジ孔５ｈに螺着することにより前記取付補助部材５ごと前記スクリーン取付部材３を上方に付勢し、このスクリーン取付部材３を形成する添接部材４の上面の前記グリップ部４１を天板Ｔの下面に圧着させるようにしているとともに、雄ネジ部材７１のネジ頭７１ａを前記スクリーン台２に当接させ、該スクリーン台２を下方に付勢するよう機能する。
【００２６】
このスクリーンＳの天板付き家具への取り付けは、以下のようにして行う。まず、天板付き家具の天板Ｔの端縁の所望の位置に前記スクリーン取付部材３を挿入する。次いで、前記スクリーン取付部材３を形成する取付補助部材５の上面部５１を切り欠き２ｘに収納するようにしてスクリーン台２を天板Ｔ上に載置し、スクリーン台２のネジ挿通孔２ｈと取付補助部材５の雌ネジ孔５ｈとを重合させた状態にする。それらら、上述したように雄ネジ部材７１を前記スクリーン台２の上方から前記ネジ挿通孔２ｈに挿通し前記雌ネジ孔５ｈに螺着することにより前記緊締手段７を機能させ、前記添接部材４の上面を天板Ｔの下面に圧着させるとともにスクリーン台２を天板Ｔに固定する。さらに、スクリーンパネル１の下縁にビード８を取り付けたものを、スクリーン台２のパネル挿入溝２ｍに圧入する。このとき、ネジ挿通孔２ｈは前述したように前記パネル挿入溝２ｍの外側に形成されているので、前記緊締手段７は前記図３及び図４に示すようにスクリーンパネル１の外面１ａより外側の位置において前記取付補助部材５を介して前記添接部材４に緊締力を加え該添接部材４を上方に付勢している。
【００２７】
このスクリーンＳの設置箇所を変更する際には、上述した取り付け手順と逆の操作を行うことによりスクリーンＳを取り外した後、天板Ｔの端縁の所望の位置に前記取付部材３を改めて挿入し、以下上述した取り付け手順によりスクリーンＳを取り付ける。または、スクリーンパネル１をスクリーン台２に支持させたまま前記雄ネジ部材７１を前記雌ネジ孔５ｈに螺着した状態を解除することによりスクリーンパネル１、スクリーン台２、及びスクリーン取付部材３を天板Ｔの端縁に沿って移動可能にし、これらを天板Ｔの端縁に沿って所望の位置にスライド移動させてから前記緊締手段７を機能させてスクリーンＳを所望の位置に固定するようにしてもよい。
【００２８】
本発明に係るスクリーンＳは、以上に述べたように、前記スクリーンパネル１の外面１ａより外側の位置において前記スクリーン台２の上方からネジ７１を螺着する操作により前記緊締手段７を機能させ、前記添接部材４を上方に、前記スクリーン台２を下方にそれぞれ付勢して固定するだけで天板付き家具の天板Ｔに固定できるので、天板下方において緊締力を加える捜査を行う態様と比較して容易にスクリーンＳの取り付けを行うことができるとともに、天板２の下方の空間が塞がれ、着座者の下肢の収納の妨げとなる不具合の発生を抑えることができる。さらに、前記スクリーンパネル１を前記スクリーン台２に支持させたまま緊締手段７に対する操作を行うこともできるので、上述したように前記スクリーンパネル１を支持させたスクリーン台２を天板Ｔ上に仮載置し、天板Ｔ上の空間の状況を確認してスクリーンＳの取り付け位置を決定してから緊締手段７に対する操作を行いスクリーンＳを設置することもできる。加えて、緊締手段７に対して前記添接部材４を上方に付勢した状態を解除すべく雄ネジ部材７１の螺着を解除する操作を前記スクリーンパネル１を前記スクリーン台２に支持させたまま行った後、このようなスクリーンＳをそのまま天板Ｔの端縁に沿って移動させることにより、このようなスクリーンＳの設置位置の変更を行うこともできる。
【００２９】
また、前記取付補助部材５が、天板Ｔの上面に沿う板状をなす上面部５１と前記上面部５１の一端縁から垂下する垂下部５２とを有するとともに、前記垂下部５２の下端と前記添接部材４とを接続し、前記取付補助部材５と前記添接部材４とにより側面視天板の端縁部に向けて開口するコの字型をなすスクリーン取付部材３を板金加工により一体に形成しているので、添接部材４及び取付補助部材５の形成を非常に簡単に行うことができるとともに、厚さの異なる天板にも前記添接部材４と取付補助部材５の上面部５１との間の離間距離が異なる複数の前記スクリーン取付部材３を用意することにより容易に対応できる。
【００３０】
さらに、前記緊締手段７が、前記スクリーン台２に設けたネジ挿通孔２ｈと、前記取付補助部材５の上面部５１に前記ネジ挿通孔２ｈと重合させて設けた雌ネジ孔５ｈと、前記ネジ挿通孔２ｈに挿通し前記雌ネジ孔５ｈに螺着されるネジ７１とからなるので、前記ネジ７１を上方から前記ネジ挿通孔２ｈに挿通し前記雌ネジ孔５ｈに螺着する非常に簡単な操作により前記添接部材４に緊締力を加えることができる。
【００３１】
また、前記スクリーン取付部材３を、天板Ｔの一端縁のみに取り付けるようにしているので、例えば接客用のカウンターを区画する場合に接客を行う者側の端縁に前記スクリーン取付部材３を配置し、客の側からこのようなスクリーン取付部材３の存在を目立たないようにすることができる。
【００３２】
前記スクリーン台２が、前記取付補助部材５を収納する切り欠き２ｘを具備するので、前記取付補助部材５を前記切り欠き２ｘに収納することにより天板上方の空間から前記取付補助部材５を隠蔽することができ、このスクリーンＳの外観を整えることができる。
【００３３】
前記添接部材４の上面に、弾性を有する部材により構成されるグリップ部４１を形成しているので、前記緊締手段７により緊締力を加えられ、該添接部材４が天板Ｔの下面に当接すると、前記グリップ部４１が天板の下面に当接することにより天板と前記添接部材４との間のすべり摩擦力を増すことができ、従って天板付き家具の天板Ｔにスクリーンをより安定して取り付けることができる。
【００３４】
前記スクリーン台２と前記ビード８との間に、前記ビード８に設けた係合突条と前記スクリーン台２に設けた係合溝とを凹凸係合させてなる凹凸係合部を形成しているので、この凹凸係合部が前記スクリーン台２と前記ビード８が互いに上下に移動することを防止する抜け止め機構として機能し、安定して前記ビード８を取り付けたスクリーンパネル１を前記スクリーン台２に支持させることができる。
【００３５】
なお、本発明は以上に述べた実施の形態に限られない。
【００３６】
例えば、上述したグリップ部４１に替えて、例えば天板と添接部材４との間にグリップ板を介在させるようにしてもよい。
【００３７】
また、スクリーン台２に、上述したような切り欠き２ｘに替えて取付補助部材５を収納可能な溝を設けるようにしてもよい。
【００３８】
さらに、天板の両側端縁にスクリーン取付部材３を取り付け、スクリーン台２の両端をスクリーン取付部材３に固定するようにしてもよい。
【００３９】
その他、本発明の趣旨を損ねない範囲で種々に変更してよい。
【図面の簡単な説明】
【００４０】
【図１】本発明の一実施形態に係るスクリーンの全体斜視図。
【図２】同実施形態に係るスクリーンの正面図。
【図３】同実施形態に係るスクリーンの側面図。
【図４】図３の要部を拡大して示した図。
【図５】同実施形態に係るスクリーンの分解斜視図。
【図６】同実施形態に係るスクリーンパネルを示す図。
【図７】同実施形態に係るスクリーン台を示す図。
【図８】同実施形態に係るビードを示す図。
【図９】同実施形態に係るスクリーン取付部材を示す図。
【符号の説明】
【００４１】
Ｓ…スクリーン
１…スクリーンパネル
２…スクリーン台
２ｈ…ネジ挿通孔
３…スクリーン取付部材
４…添接部材
４１…グリップ部
５…取付補助部材
５１…上面部
５２…垂下部
５ｈ…雌ネジ孔
７…緊締手段
７１…雄ネジ部材
８…ビード
【図１】
2005143690.tif 000003
【図２】
2005143690.tif 000004
【図３】
2005143690.tif 000005
【図４】
2005143690.tif 000006
【図５】
2005143690.tif 000007
【図６】
2005143690.tif 000008
【図７】
2005143690.tif 000009
【図８】
2005143690.tif 000010
【図９】
2005143690.tif 000011